(57)【特許請求の範囲】
【請求項１】
表示部と、
前記表示部を支持するスタンド部とを備え、
前記スタンド部は、外観を構成するカバー部材と、前記カバー部材に固定される第１の材料で形成される第１の底板と、前記第１の底板より薄い厚さを有し、前記第１の底板と一部が重なるようにして前記カバー部材に固定される前記第１の材料より強度が低い第２の材料で形成される第２の底板とを有し、
前記カバー部材は、前記第１の底板および前記第２の底板が側面方向から見えないように覆うステップを有し、前記ステップの先端と前記第１の底板および前記第２の底板の表面が同じ高さ位置に設けられていることを特徴とする表示装置。
【請求項２】
前記第１の底板は、前記第２の底板よりも大なる厚さを有し、前記スタンド部の中央部に設けられる請求項１に記載の表示装置。
【請求項３】
前記第２の底板は、前記第１の底板と重なる部分が同一のねじによって前記カバー部材にねじ止めされる請求項２に記載の表示装置。
【請求項４】
前記第２の底板は、前記第１の底板と重なる部分を除く外周が前記ステップの内側に位置するように折り曲げられている請求項１から３のいずれか１項に記載の表示装置。
【発明の詳細な説明】
【技術分野】
【０００１】
本発明は、表示装置に関する。
【背景技術】
【０００２】
従来、スタンド部と表示部からなる表示装置において、スタンド部にトップカバーと据付面と向かい合う金属製の底板とを有するものがある。（例えば、特許文献１参照）。
【０００３】
この表示装置は、底板に凹部を有し、この凹部にヒンジ軸で支持されたハンドルを格納可能に設けられている。表示装置を持ち運ぶときは、格納されたハンドルを取り出して持ち運べば良いことから、表示装置の外観を損なうことのないものとできる。
【特許文献１】特開２００７−３１６５０１号公報
【発明の開示】
【発明が解決しようとする課題】
【０００４】
しかし、従来の表示装置によると、ハンドルを支持する底板に十分な強度が必要となることから、底板が大型化し、そのことによって表示装置の重量増を招くという問題がある。
【０００５】
従って、本発明の目的は、底板の必要な強度を確保しながら、軽量化を図ることのできる表示装置を提供することにある。
【課題を解決するための手段】
【０００６】
本発明は上記目的を達成するため、表示部と、前記表示部を支持するスタンド部とを備え、前記スタンド部は、外観を構成するカバー部材と、前記カバー部材に固定される第１の材料で形成される第１の底板と、前記第１の底板より薄い厚さを有し、前記第１の底板と一部が重なるようにして前記カバー部材に固定される前記第１の材料より強度が低い第２の材料で形成される第２の底板とを有し、前記カバー部材は、前記第１の底板および前記第２の底板が側面方向から見えないように覆うステップを有し、前記ステップの先端と前記第１の底板および前記第２の底板の表面が同じ高さ位置に設けられていることを特徴とする表示装置。
【発明の効果】
【０００７】
本発明によれば、底板の必要な強度を確保しながら、軽量化を図ることができる。
【発明を実施するための最良の形態】
【０００８】
以下に、本発明の表示装置の実施の形態を、図面を参照して詳細に説明する。
【０００９】
図１は、本発明の実施の形態に係る表示装置を示す斜視図である。この表示装置１は、表示部１０と、表示部１０を回転自在に支持するスタンド部１１とから構成されている。
【００１０】
表示部１０は、ＡＢＳ(Acrylonitrile Butadiene Styrene)、ポリカーボネート、アクリル等の樹脂材料からなる前面カバー１００と、表示面１０１Ａに映像を表示する液晶表示部１０１と、図示しないリモコン装置の光操作信号を受光する受光部１０２とを有する。
【００１１】
スタンド部１１は、ＡＢＳ、ポリカーボネート、アクリル等の樹脂材料からなる長方形状のベースカバー１１０と、ベースカバー１１０の中央に長方形状に設けられる支柱部１１１とを有し、支柱部１１１の内部には、スタンド部１１が置かれる面の面方向と直交する方向（垂直方向）に設けられる軸周りに、所定の角度範囲で表示部１０を回転可能に支持する図示しないスィーベル機構が設けられている。
【００１２】
図２は、表示装置の背面側を示す斜視図である。図２においては、表示部１０の液晶表示部および背面カバーを除いたものとしている。表示部１０において、前面カバー１００は、側壁１０ａ，１０ｂ，および上壁１０ｃに図示しない背面カバーを固定するための固定部材１００Ａを有する。前面カバー１００の上壁１０ｃに設けられる固定部材１００Ａには、後述するスタンドレッグ１２０に固定される２本のフレーム１００Ｂが垂直方向に設けられている。この２本のフレーム１００Ｂは、補強部材１００Ｃおよび１００Ｄによって平行に保たれるように固定されている。
【００１３】
また、スタンド部１１において、ベースカバー１１０の背面側に引き出し可能に設けられて表示装置１の転倒を防止する転倒防止部材１１２と、スタンド部１１をワイヤ等の紐状部材で固定系に固定するためのフック１１３とをさらに有している。支柱部１１１には、表示部１０を支持するスタンドレッグ１２０が立設している。スタンドレッグ１２０は、支柱部１１１内に設けられる図示しないスィーベル機構に固定されており、水平方向に所定の長さを有するとともに、端部に表示部１０を固定するための表示部固定部材１２１が設けられた支持体１２を形成している。なお、本実施の形態では、スィーベル機構を設けたことによる表示部１０の回転が可能な支持構造としているが、スィーベル機構を設けずに表示部１０が回転しない支持構造であっても良い。
【００１４】
図３は、表示部を外した状態のスタンド部および支持体の斜視図である。
【００１５】
スタンドレッグ１２０は、アルミニウム合金からなり、キャスティングにより所定の長さを有して形成されている。また、部材重量を軽減するものとして、上面１２０ａから垂直方向に肉抜き部１２０ｂが形成されるとともに、肉抜きによる捩れ方向の強度低下を防ぐものとしてリブ１２０Ａが設けられている。
【００１６】
表示部固定部材１２１は、例えば、一般冷間圧延鋼板材をプレス加工することによって形成されており、前壁１２１Ａ、側壁１２１Ｂを有する。前壁１２１Ａには、フレーム１００Ｂを固定するためのねじ孔１２１Ｄが設けられている。また、前壁１２１Ａは、スタンドレッグ１２０の前壁支持部１２０Ｂにねじ止めされる頭部のない止めねじ１２３によって、前壁１２１Ａと前壁支持部１２０Ｂとの間のがたつきを生じないように構成されている。側壁１２１Ｂは、ねじ１２２によってねじ貫通部１２０Ｅに固定されている。
【００１７】
図４は、スタンド部を底板側から見た分解斜視図である。
【００１８】
スタンド部１１は、ベースカバー１１０と、第２の底板である矩形状の薄肉の底板１４０Ａ，１４０Ｂと、底板１４０Ａ，１４０Ｂよりも厚さの大なる第１の底板である矩形状の厚肉の底板１５０と、ベースカバー１１０と底板１５０との間に収容される金属製の基部１３０とを有する。
【００１９】
底板１４０Ａ，１４０Ｂ，および１５０は、表示部固定部材１２１と同様に、一般冷間圧延鋼板材をプレス加工することによって形成されている。本実施の形態では、底板１４０Ａ，１４０Ｂの厚さが０．５ｍｍ、底板１５０の厚さが２．３ｍｍで形成されている。また、底板１５０は、撓みおよび捩れに対する強度を高めるものとして、プレス加工による凹凸形状部１５２が設けられている。
【００２０】
底板１４０Ａ，１４０Ｂは、ベースカバー１１０の長辺方向の端部にそれぞれ位置して設けられ、ねじ１６０を貫通させる貫通孔１４１，１４２を有する。貫通孔１４２は、隣接して設けられる底板１５０と重なる部分であるねじ止め部１４３に設けられている。この底板１４０Ａ，１４０Ｂは、ねじ１６０によってベースカバー１１０のねじ孔１１０Ａ，１１０Ｂに固定される。また、底板１４０Ａ，１４０Ｂは、ねじ止め部１４３を除く外周部分に折り曲げ部１４４が設けられている。
【００２１】
底板１５０は、ベースカバー１１０の中央に中心部分が位置するように設けられ、底板１４０Ａ，１４０Ｂと同様にねじ１６０によってベースカバー１１０のねじ孔１１０Ａに固定される。この底板１５０の表面には、転倒防止部材１１２が取付けねじ１１２Ａによって固定されており、ねじ１１２Ａはベースカバー１１０のねじ孔１１０Ｅに固定される。周縁部には弾性材料で形成された円形状の脚１５１が設けられている。この脚１５１は、底板１５０をベースカバー１１０に固定するねじ１６０を覆うように設けられる。また、フック１１３もねじ１６０によって取り付けられる。
【００２２】
ベースカバー１１０は、表示装置１が据え付けられる据付面に平行に図３に示す支持体１２を回転させるスィーベル機構を取り付けるための基部１３０を、支柱部１１１の内側に有している。この基部１３０は、貫通孔１３０Ｂに挿入される図示しないねじによって、支柱部１１１の内側に設けられるねじ固定部１１０Ｃのねじ孔１１０Ｄに固定される。また、基部１３０は、底板１５０に対してもねじ孔１３０Ａに挿入されるねじ１６２によって固定される。
【００２３】
ベースカバー１１０は、曲線状に折り曲げられた周縁部１１０Ｈを有し、周縁部１１０Ｈには転倒防止部材１１２およびフック１１３を周縁部外に取り出すための切欠部１１０Ｆ，１１０Ｇが設けられている。その内側に周縁部１１０Ｈよりも高さを有したステップ１１４をさらに有する。また、ベースカバー１１０の長辺方向の端部には、ステップ１１４の内側にさらに補強部１１４Ａが設けられている。
【００２４】
図５は、図３のＡ−Ａ部におけるスタンド部の部分断面図である。同図においては、底板１４０Ａと底板１５０との固定部分について示しているが、底板１４０Ｂと底板１５０との固定部分についても同様に構成されている。
【００２５】
底板１４０Ａは、ベースカバー１１０に固定された状態でステップ１１４の内側に折り曲げ部１４４が位置する。底板１４０Ａは背面が補強部１１４Ａに支持されることにより、表面がステップ１１４の先端と同じ高さ位置に設けられる。また、ねじ止め部１４３は、底板１５０の下側（ベースカバー側）に重ねられてねじ孔１１０Ａにねじ止めされる。底板１５０は、表面が底板１４０Ａとともに同一面を形成するように固定される。
【００２６】
上記した実施の形態によると、ベースカバー１１０の下側に固定される底板を異なる厚さの複数の板材で形成したので、強度が必要となる部分の底板に対して強度を必要としない部分の底板を薄く形成でき、表示装置１の軽量化を図ることができる。
【００２７】
また、底板１４０Ａ，１４０Ｂ，１５０をベースカバー１１０に固定した際に、ステップ１１４の内側に底板１４０Ａ，１４０Ｂ，１５０が配置されるので、据付面に置かれた際に底板１４０Ａ，１４０Ｂ，１５０が不可視となり、外観に優れたものとできる。さらにステップ１１４の先端と底板１４０Ａ，１４０Ｂの表面が同一面に配置されるので、スタンド部１１の下側を手で支持する場合でもステップ１１４の形状に基づくエッジが指等に当たることがない。
【００２８】
また、底板１４０Ａ，１４０Ｂと底板１５０とがねじ止め部１４３を介して重ねられ、同一のねじ１６０によってベースカバー１１０に固定されるので、底板を複数に分割したことによるねじ固定部の増加を防ぐことができ、表示装置の組み立て作業性を低下させることがない。
【００２９】
［他の実施の形態］
なお、本発明は、上記実施の形態に限定されず、本発明の技術思想を逸脱あるいは変更しない範囲内で種々な変形が可能である。
【００３０】
例えば、底板１４０Ａ，１４０Ｂと底板１５０とで異なる材料で形成することも可能である。例えば、強度が必要となる底板１５０については一般冷間圧延鋼板材で形成し、強度を必要としない底板１４０Ａ，１４０Ｂについてはアルミニウム材で形成しても良い。この場合、加工性等の条件に応じて各部の厚みを変更することも可能である。
【図面の簡単な説明】
【００３１】
【図１】本発明の実施の形態に係る表示装置を示す斜視図である。
【図２】表示装置の背面側を示す斜視図である。
【図３】表示部を外した状態のスタンド部および支持体の斜視図である。
【図４】スタンド部を底板側から見た分解斜視図である。
【図５】図３のＡ−Ａ部におけるスタンド部の部分断面図である。
【符号の説明】
【００３２】
１…表示装置、１０…表示部、１０ａ，１０ｂ，…側壁、１０ｃ…上壁、１１…スタンド部、１２…支持体、１００…前面カバー、１００Ａ…固定部材、１００Ｂ…フレーム、１００Ｃ…補強部材、１０１…液晶表示部、１０１Ａ…表示面、１０２…受光部、１１０…ベースカバー、１１０Ａ，１１０Ｂ…ねじ孔、１１０Ｃ…固定部、１１０Ｄ…ねじ孔、１１０Ｅ…ねじ孔、１１０Ｆ，１１０Ｇ…切欠部、１１０Ｈ…周縁部、１１１…支柱部、１１２…転倒防止部材、１１３…フック、１１４…ステップ、１１４Ａ…補強部、１２０…スタンドレッグ、１２０ａ…上面、１２０Ａ…リブ、１２０ｂ…肉抜き部、１２０Ｂ…前壁支持部、１２０Ｅ…貫通部、１２１…表示部固定部材、１２１Ａ…前壁、１２１Ｂ…側壁、１２１Ｄ…ねじ孔、１３０…基部、１３０Ａ…ねじ孔、１３０Ｂ…貫通孔、１４０Ａ，１４０Ｂ，１５０…底板、１４１，１４２…貫通孔、１４３…ねじ止め部、１４４…折り曲げ部、１５１…脚、１５２…凹凸形状部
【図１】
0005508673.tif 000002
【図２】
0005508673.tif 000003
【図３】
0005508673.tif 000004
【図４】
0005508673.tif 000005
【図５】
0005508673.tif 000006